(57)【特許請求の範囲】
【請求項１】
コンテンツ提供サーバよりネットワークを介して取得したコンテンツデータを記憶する記憶手段と、コンテンツが利用できる有効日数とコンテンツが消去される消去日数と転送許可回数とを記憶する記憶手段、無線通信手段と、コンテンツの転送回数をカウントするカウント手段と、を備えた携帯端末と、前記携帯端末との間で無線通信を行う無線通信手段と、前記コンテンツデータに基づく動作を行うコンテンツデータ再生手段と、を備えた再生機器と、を有し、前記消去日数は有効日数より長く設定され、前記携帯端末は、有効日数が経過していても転送回数が０回の場合には、消去日数が経過していない限り再生機器へのコンテンツデータの送信を許可すること特徴とするコンテンツ配信システム。
【発明の詳細な説明】
【技術分野】
【０００１】
この発明は、配信されたコンテンツの記録再生等に関する使用者の利便性を向上させるコンテンツの配信システムに関する。
【背景技術】
【０００２】
インターネット上の専用サイトから好みの楽曲やプログラムデータをダウンロードするコンテンツ配信システムが普及している。例えば、パーソナルコンピュータ（以下、「ＰＣ」と略記する。）を用いて、インターネット上の音楽配信サービスサイト所望の音楽を選択し、その楽曲データを購入し、種々の技術により著作権を保護しながらダウンロードし、ＰＣの例えばハードディスクに記録、蓄積する。そして、蓄積されたコンテンツを再生したり、又著作権を保護しながら専用のデジタル携帯端末に転送し再生するなどして、色々なコンテンツが楽しまれている。
【０００３】
また、携帯電話装置においては、多くの数の着信メロディが用意されており、これら着メロは、コンテンツプロバイダから提供される。
【０００４】
ところで、家庭内には、電子レンジ、エアコンや風呂の自動湯沸かし器などのように、作動に伴い、音や音声を発声するものがある。しかしながら、従来の家庭内の電子機器においては、予め登録されていた音や音声などを発声するだけで、使用者の好みにより、音声やメロディ等を変更することはできなかった。
【０００５】
そこで、インターネット上の専用サイトから楽曲などをダウンロードし、電子機器に対して携帯電話装置の赤外線通信機能を使用して転送するシステムが提案されている（例えば、非特許文献１参照）。
【非特許文献１】ＭＵＰＡＳＳシステム（ｈｔｔｐ：／／ｗｗｗ．ｍｕｐａｓｓ．ｎｅｔ／ｉｎｆｏ／）
【発明の開示】
【発明が解決しようとする課題】
【０００６】
上記したように、携帯電話装置においては、インターネット上の専用サイトから好みの楽曲をダウロードし、好みの楽曲を着信メロディとして用いることが行われている。
【０００７】
そこで、この発明は、携帯電話装置を用いて、データ転送の安全性を確保しながら家庭内の電子機器の作動音等を容易に変更することができるシステムを提供することを目的とする。
【課題を解決するための手段】
【０００８】
この発明は、コンテンツ提供サーバよりネットワークを介して取得したコンテンツデータを記憶する記憶手段と、コンテンツが利用できる有効日数とコンテンツが消去される消去日数と転送許可回数とを記憶する記憶手段、無線通信手段と、コンテンツの転送回数をカウントするカウント手段と、を備えた携帯端末と、前記携帯端末との間で無線通信を行う無線通信手段と、前記コンテンツデータに基づく動作を行うコンテンツデータ再生手段と、を備えた再生機器と、を有し、前記消去日数は有効日数より長く設定され、前記携帯端末は、有効日数が経過していても転送回数が０回の場合には、消去日数が経過していない限り再生機器へのコンテンツデータの送信を許可すること特徴とする。
【発明の効果】
【００１０】
この発明は、ダウンロードしてから１度もコンテンツを利用していない場合には、消去日数が経過していない限り転送を許可することができ、ユーザに対しての利便性を向上させている。
【発明を実施するための最良の形態】
【００１２】
この発明の実施の形態について図面を参照しながら詳細に説明する。なお、図中同一または相当部分には同一符号を付し、説明の重複を避けるためにその説明は繰返さない。
【００１３】
図１は、この発明のコンテンツ配信システムを示す概略図である。この図１に従い、全体構成につき説明する。この発明の実施形態におけるコンテンツ配信システムは、携帯電話装置１、携帯電話網４０、携帯電話網制御部４５、インターネット４６、サーバシステム５により構成されている。
【００１４】
携帯電話網４０と携帯電話網制御部４５は、携帯電話装置１とインターネット４６間の通信を接続するシステムである。携帯電話網４０は、携帯電話装置１と無線通信を行う基地局を含む携帯電話網制御部４５に接続され、携帯電話装置１からデータを携帯電話網制御部４５に送るとともに、携帯電話網制御部４５から送られてくるデータを携帯電話装置１に送る。これらデータ通信は、パケット通信により行われる。
【００１５】
サーバシステム５は、例えば、コンテンツ提供サーバ５０と管理サーバ５５を備える。コンテンツ提供サーバ５０は、着信メロディなどの楽曲データなどコンテンツデータを記憶しているデータベースを備えており、携帯電話網４０、携帯電話網制御部４５、インターネット４６を介してアクセスしてくる携帯電話装置１に対してウェブページを閲覧可能に提供したり、各種のサービスを提供する。このコンテンツ提供サーバ５０では、ユーザに楽曲データなどのコンテンツを提供することができる。
【００１６】
管理サーバ５５は、ユーザ毎のアカウント情報（住所、氏名、決済方法等）を登録する。管理サーバ５５は、コンテンツ配信サーバ５０からダウンロードログ情報を受信し、料金プランに基づいた課金処理を実施する。この課金処理は、例えば、クレジット決済、請求書をユーザに送付し、その入金を確認するなどの処理が行われる。
【００１７】
上記したコンテンツ提供サーバ５０、管理サーバ５５は、ワークステーション・サーバ等の情報処理装置によって構成されている。
【００１８】
この発明の実施形態においては、携帯電話装置１とコンテンツ利用電子機器（音源再生機器）２との間でＩｒＤＡ（Infrared Data Association）規格に基づいた赤外線通信機能を用いて、データの送受が行われる。
【００１９】
携帯電話装置１は、液晶表示部１１、キー入力部１２、アンテナ部１３、スピーカ１４、マイク１５、赤外線通信機能等を備える。
【００２０】
ユーザが携帯電話装置１を操作し、コンテンツ提供サーバ５０からダウンロードした楽曲等のコンテンツデータは、赤外線通信機能を用いて、コンテンツ利用電子機器（音源再生機器）２に送られ、コンテンツ利用電子機器（音源再生機器）２内に格納される。コンテンツ利用電子機器（音源再生機器）２としては、例えば、電子レンジ、冷蔵庫、エアコンなどの家庭用電化製品などである。コンテンツ利用電子機器（音源再生機器）２には、音源システムが組み込まれ、携帯電話装置１から送られたコンテンツデータを再生し、ユーザが希望する楽曲等が再生できる。
【００２１】
図２は、この発明によるコンテンツ配信システムに用いる携帯電話装置の回路の実施形態を示すブロック図、図３は、この発明によるコンテンツ配信システムに用いるコンテンツ利用電子機器（音源再生機器）２の音源システムの実施形態を示すブロック図である。
【００２２】
図２に従いこの発明によるコンテンツ配信システムに用いる携帯電話装置１の実施形態の回路構成を説明する。
【００２３】
携帯電話装置１の回路部は、コンテンツ利用電子機器（音源再生機器）２と直接通信するための赤外線送受信部１８と、通常の携帯電話の通信を行う通信部１９とを備える。この携帯電話装置１は、携帯電話全体の制御を司るＣＰＵ１６と各種プログラム等が格納されたメモリ部１７を備える。
【００２４】
メモリ部１７には、通常の携帯電話としての発呼、着信、通話、メールの送受信などの携帯電話の動作を行うためのプログラム並びにコンテンツ利用電子機器（音源再生機器）２とアクセスし、コンテンツ利用電子機器（音源再生機器）２との間でデータの送受を行うためのプログラムが格納されている。更に、メモリ部１７には、メール等のデータ、ダウンロードした楽曲などのコンテンツデータなどの各種データも格納される。
【００２５】
ＣＰＵ１６は、メモリ部１７より携帯電話の動作を行うためのプログラムを読み出して、通常の携帯電話としての発呼、着信、通話、メールの送受信などの携帯電話の各種制御動作を行う携帯電話機能部１６ａ、メモリ部１７よりコンテンツ利用電子機器（音源再生機器）２とのデータ通信を行うためのプログラムを読み出し、コンテンツ利用電子機器（音源再生機器）２とアクセスし、データ転送制御を行うデータ転送制御機能部１６ｂの機能を果たす。
【００２６】
携帯電話装置１の各回路とＣＰＵ１６とはバス１００を介して接続され、キー入力部１２から与えられたキー入力はバス１００からＣＰＵ１６に与えられ、ＣＰＵ１６は、キー入力されたコマンド等を実行するとともに、液晶表示部１１に所定の表示を行わせる。このため、ＣＰＵ１６は、液晶を駆動させる駆動回路部１１０にバス１００を介して表示データ等の送出する。駆動回路部１１０は送られてきたデータに応じて液晶表示部１１に数字や文字、画像等を表示させる。
【００２７】
スピーカ１４及びマイク１５は、携帯電話としての通話の際に用いられるとともに、メモリ部１７へ格納された楽曲データなどを再生する。楽曲データはＭＰ３、ＷＭＡなどの音声圧縮されたデジタル音声データやＭＩＤＩデータとしてメモリ部１７に格納されている。この音声圧縮データをメモリ部１７より読み出し、ＣＰＵ１６にて復号し、スピーカ１４にて再生する。
【００２８】
図３に従いこの発明によるコンテンツ配信システムに用いるコンテンツ利用電子機器（音源再生機器）２の音源システムについて説明する。
【００２９】
このコンテンツ利用電子機器（音源再生機器）２の音源システムは、ＣＰＵ２２０、メモリ部２２２を備え、メモリ部２２２に格納された制御プログラムをＣＰＵ２２０が実行することにより、各種の処理が行われる。ＣＰＵ２２０には、携帯電話装置１との間でデータ通信を行うためのデータ通信部２２１が接続され、データ通信部２２１を介して携帯電話装置１から与えられるコマンド、楽曲データ等はＣＰＵ２２０を経てメモリ部２２２に格納される。
【００３０】
データ通信部２２１の前段には赤外線送受信素子が接続され、赤外線通信機能を有した携帯電話装置１とデータ通信を行う場合には、携帯電話装置１の赤外線送受信部１８と赤外線送受信素子、データ通信部２２１間にてデータ通信が行われる。この実施形態においては、携帯電話装置１とコンテンツ利用電子機器（音源再生機器）２とはＩｒＤＡ規格に基づいた赤外線通信により送受信される。このためデータ通信部２２１は、ＩｒＤＡ規格に基づいて符号化されたデータの送受信が行われる。データ通信部２２１から与えられるデータはＩｒＤＡ符号／復号化回路２２３に与えられ、ＩｒＤＡ符号化されたデータを復号し、スイッチ２２４を介してＣＰＵ２２０に与えられる。そして、ＣＰＵ２２０にて、例えば、暗号化処理されたデータを復号し、バス２３０からメモリ部２２２に与え、複合化された楽曲データなどのコンテンツデータが格納される。一方、データ送信する場合には、メモリ部２２２から読み出したデータ等がＩｒＤＡ符号／復号化回路２２３に与えられ、符号化されてデータ通信部２２１から赤外線通信される。
【００３１】
メモリ部２２２は、例えば、フラッシュメモリにて構成される。このメモリ部２２２は、バンクレジスタ２２５によりアドレス指定され、データの書き込み又は読み出しが行われる。
【００３２】
ＣＰＵ２２０には、音源部２２６が接続され、音源部２２６は、メモリ部２２２に格納され、メモリ部２２２から読み出されバス２３０を介して与えられた楽曲データに基づきメロディ音を作成しする。そして、作成されたメロディ音はデジタルアンプ２２７に与えられ、スピーカ２２８からメロディ音が出力される。
【００３３】
ＣＰＵ２２０には、発振器２３１から例えば２２．１ＭＨｚの動作クロックが与えられ、このクロックに従い各種動作を制御する。
【００３４】
コンテンツ利用電子機器（音源再生機器）２の本体に対してもデータの送受が可能なように構成されている。このため、ＩｒＤＡ符号／復号化回路２２３とコンテンツ利用電子機器（音源再生機器）２の本体とのデータの送受を行うシリアルインターフェース２３２とがスイッチ２２４を介して接続される。電子機器２の本体部に対して、携帯電話装置１からデータを与えたり、又、本体部からのデータを携帯電話装置１に与えることもできる。
【００３５】
更に、バス２３０にはＩ／Ｏ回路２３３を介して電子機器２の本体部のパラレルインターフェース２３４が接続され、本体部からの命令、例えば、再生のオン／オフ、ボリュームなどがＣＰＵ２２０に与えられる。
【００３６】
上記したコンテンツ利用電子機器（音源再生機器）２の音源システムは、例えば、１チップの音源ボードとして構成することができるが、この実施形態では、チップ面積が大きくなる部分は１チップ化していない。この実施形態では、点線で囲んだ部分、すなわち、ＣＰＵ２２０、スイッチ２２４、ＩｒＤＡ符号／復号化回路２２３、Ｉ／Ｏ回路２３３、音源部２２６、デジタルアンプ２２７、バンクレジスタ２２５を１チップとし、メモリ部２２２、発振器２３１とは別チップとし、マルチチップモジュールの音源ボードとして構成している。
【００３７】
図４に、メモリ部２２２のデータフォーマットの例を記載する。この実施形態におけるメモリ部２２２は、データ領域２２２ａ、受信バッファ領域２２２ａ、受信バッファ領域２２２ｂ、アプリケーションプログラム領域２２２ｃとに分けられている。アプリケーションプログラム領域２２２ｃには、ＣＰＵ２２０に与えるアプリケーションプログラムが格納され、動作を開始すると、このメモリ部２２２からプログラムが読み出されて、ＣＰＵ２２０が所定の制御を行う。受信バッファ領域２２２ｂは、ＣＰＵ２２０がパケット単位で復号したデータを一時格納するために用いられる。この受信バッファ領域２２２ｂで所定のデータになるとデータ領域２２２ａにそのデータが書き込まれる。
【００３８】
更に、この実施形態においては、コンテンツ利用電子機器（音源再生機器）２を特定するための機種ＩＤがメモリ部２２２に格納されている。この機種ＩＤは、ＭＡＣアドレス（Media Access Control address）で構成されるＩＤであり、音源システムの出荷時に記録されている。更に、必要に応じてメーカーコードもメモリ部２２２に格納されている。この機種ＩＤやメーカコードにより、製造メーカ、機器の特定を可能にするとともに、コンテンツの不正ダウンロード等を防止している。
【００３９】
次に、サーバシステム５の一例を図５及び図６に従い説明する。図５は、サーバシステム５におけるコンテンツ提供サーバ５０の一例を示すブロック図、図６は、サーバシステム５における管理サーバ５５の一例を示すブロック図である。
【００４０】
コンテンツ提供サーバ５０は、例えば、図５に示したように、バスライン５０７に、通信制御部５０１、制御部５０２、入力部５０３、表示部５０４、記憶部５０５、データベースインタフェース（ＩＦ）５０６などを接続させ、データ、アドレス信号、制御信号などを伝送させ、処理するように構成されている。
【００４１】
通信制御部５０１は、インターネット４６に接続され、インターネット４６を介して携帯電話装置１や他とサーバなどとの間の双方向通信制御を行う。制御部５０２は、ＣＰＵ、ＲＯＭ、ＲＡＭなどを備え、ＲＯＭに格納されたＯＳにしたがってＣＰＵがサーバ全体の制御を行う。入力部５０３は、制御部５０２に本サーバを手動操作するための各種情報を入力する。表示部５０４は、本サーバの操作や本サーバ自体の動作に伴う各種状態を表示する。
【００４２】
記憶部５０５は、携帯電話装置１に対してウェブブラウザ表示を提供するためのサーバ側の処理を受け持つサーバ用アプリケーションプログラムおよびクライアントすなわち携帯電話装置においてウェブブラウザを実現させるためのクライアント用アプリケーションプログラムを記憶している。
【００４３】
記憶部５０５は、さらに、ユーザ情報であるユーザレコードテーブル、ユーザの嗜好とコンテンツ情報とを対応付けているプロフィールレコードテーブルなども格納する。
【００４４】
データベースインタフェース５０６は、着信メロディやＣＤ音源の音楽、音声、画像などのコンテンツデータを記憶するデータベース５６０を本サーバに接続させ、コンテンツデータの読み出しやデータ更新などを行う。
【００４５】
データベース５６０は、コンテンツデータを記憶する大規模記憶装置である。
【００４６】
以上の構成によれば、制御部５０２は、インターネット４６を介して携帯電話装置１からダウンロード要求が入ると、後述する管理サーバ５６へコンテンツを配信したダウンロードログ情報（ユーザ名、配信日時、コンテンツの種類等）を配信するとともに所定の情報を登録後、ユーザが希望する着信メロディ、ＣＤ音源の音楽、音声、動画や静止画などの画像等のコンテンツを提供する。
【００４７】
管理サーバ５５は、例えば、図６に示したように、バスライン５５６に、通信制御部５５１、制御部５５２、入力部５５３、表示部５５４、記憶部５５５などを接続させ、データ、アドレス信号、制御信号などを伝送させ、処理するように構成されている。
【００４８】
通信制御部５５１は、インターネット４６に接続され、インターネット４６を介して携帯電話装置１や他のサーバなどとの間の双方向通信制御を行う。制御部５５２は、ＣＰＵ、ＲＯＭ、ＲＡＭなどを備え、ＲＯＭに格納されたＯＳにしたがってＣＰＵがサーバ全体の制御を行う。入力部５５３は、制御部５５２に本サーバを手動操作するための各種情報を入力する。表示部５５４は、本サーバの操作や本サーバ自体の動作に伴う各種状態を表示する。
【００４９】
記憶部５５５は、コンテンツ提供サーバ５０からインターネット４６を介して与えられるユーザのアカウント情報（住所、氏名、決済方法等）、ダウンロードログ情報（ユーザ名、配信日時、コンテンツの種類等）を登録する。
【００５０】
管理サーバ５５は、記憶装置５５５に登録されたダウンロードログ情報に基づいてユーザに対する課金機能及び携帯電話装置１から送られるアカウント情報を登録、管理する機能を有する。そして、アカウント情報に従いダウンロードログ情報に基づく課金処理を行う。この課金処理は、クレジット決済、請求書発行などの処理が含まれる。
【００５１】
次に、この発明の動作につきフローチャートに従い説明する。まず、携帯電話装置１にコンテンツをダウンロードする方法につき図７を参照して説明する。尚、ダウンロードの方法はこれに限られず、図７に示す方法は一例にすぎない。
【００５２】
この携帯電話装置１は、Ｊａｖａ（登録商標）言語で作成したプログラムの実行環境（Ｊａｖａ仮想マシン）が搭載されており、Ｊａｖａ言語で作成したアプリケーションソフトが実行できる。この携帯電話装置１においては、アプリケーションソフトの１つとして、コンテンツのダウンロードを行うプログラム、ダウンロードしたコンテンツをコンテンツ利用電子機器（音源再生機器）２に送信するコントロールプログラムがサーバ等などからダウンロードして実行できるように構成されている。
【００５３】
まず、ユーザ（注文者）は、自分の携帯電話装置１を介して、コンテンツサービスプロバイダがインターネット４６上に開設しているコンテンツ販売ホームページにアクセスする(ステップＳ１)。これに応答して、コンテンツ提供サーバ５０はアカウント登録画面を携帯電話装置１に送信する(ステップＳ２)。携帯電話装置１の表示画面１１には、ＩＤ、パスワード、携帯電話番号、電話番号、氏名、住所、決済方法などを示すアカウント作成画面が表示される。注文者は、ユーザ携帯端末１０からアカウント情報を入力する。(ステップＳ３)。
【００５４】
こうして作成されたアカウント情報を送信すると、コンテンツ提供サーバ５０は、記憶部に５０５にアカウント情報をユーザ情報として登録する（ステップＳ４）。そして、管理サーバ３０は顧客管理データとして新規アカウントを作成し(ステップＳ５)、登録確認情報をコンテンツ提供サーバ５０に送出する(ステップＳ６)。
【００５５】
コンテンツ提供サーバ５０は、登録確認データを受信した段階で、コンテンツの種類などが示されているコンテンツメニュー画面を携帯電話装置１に送信する(ステップＳ７)。
【００５６】
次に、ユーザが欲しいコンテンツを選択し、ダウンロードを指定する(ステップＳ８)と、携帯電話装置１には、コンテンツ提供サーバ５０から指定したコンテンツがダウンロードされる(ステップＳ９)。携帯電話装置１は、ダウンロードされたコンテンツをメモリ部１７に格納する。ダウンロードが完了すると携帯電話装置１からコンテンツ提供サーバ５０にダウンロード完了通知を送信する（ステップＳ１０）。そして、携帯電話装置１はダウンロード操作を終了する。また、ダウンロードログは一時的にコンテンツ提供サーバ５０に蓄えられる。
【００５７】
次に、コンテンツ提供サーバ５０はダウンロードログを管理サーバ５５に送信する(ステップＳ１１)。そして、コンテンツ配信動作が終了する。
【００５８】
管理サーバ５５は、ダウンロードログを受信するとそのログ情報を元に、あらかじめコンテンツプロバイダから指定されているプライスプランに基づき、課金処理を行う。課金データと管理サーバ５５のもつアカウント情報を元に顧客毎の請求データを作成し、動作を終了する(ステップＳ１２)。請求データにはアカウント情報から請求書の送付先、ダウンロードしたファイル名，日時，請求金額，決済方法が含まれている。また、管理サーバ５５はその請求データをウェブ機能で表示することが可能であり、ユーザはＩＤ，パスワードを元に自分の請求データを確認することが出来るように構成している。
【００５９】
次に、この発明の実施形態における動作につき、図８ないし図１０のフローチャートに従い説明する。図８は、コンテンツ提供サーバ５０より携帯電話装置１にダウンロードしたコンテンツデータを音源再生機器２側へデータ送信する場合の動作を示すフローチャート、図９は、通信接続処理ルーチンを示すフローチャート、図１０は、送信管理処理ルーチンを示すフローチャートである。
【００６０】
図８に示すように、図７に示す動作に基づいてコンテンツ提供サーバ５０からユーザが好むコンテンツを携帯電話装置１にダウンロードする（ステップＳ２０）。音源再生機器２側はコンテンツの受信を待機する状態である（ステップＳ２１）。コンテンツ提供サーバ５０から携帯電話装置１へコンテンツをダウンロードする時に、コンテンツ提供サーバ５０からは、コンテンツの利用の態様を制限する情報が送られる。この実施形態においては、コンテンツを利用できる有効日数、コンテンツを消去する消去日数、音源再生機器２へ転送できる転送許可回数が決められる。そのため、携帯電話装置１においては、コンテンツのダウンロードを行った後、そのコンテンツに対する有効日数がメモリ部１７に記録する（ステップＳ２２）。携帯電話装置１では、内蔵するカレンダ機能等を用いて、有効日数等の処理を把握する。続いて、携帯電話装置１では、コンテンツをダウンロードした後の消去日数をメモリ部１７に記録する（ステップＳ２３）。この実施形態においては、有効日数経過後も転送可能回数に達していない場合には、転送可能に構成している。このため、有効日数の倍以上の日数を消去日数としている。消去日数に達すると、メモリ部１７からダウンロードして記憶された対象コンテンツを消去し、コンテンツの利用ができないように制御される。
【００６１】
そして、携帯電話装置１が異なる音源再生機器２へ転送できる回数である転送許可回数をメモリ部１７に記録する（ステップＳ２４）。このように、コンテンツ提供サーバ５０よりコンテンツをダウンロードすると、コンテンツの利用の態様を制限する情報がメモリ部１７に記録される。
【００６２】
ユーザが携帯電話装置１にダウンロードしたコンテンツを音源再生機器２側へＩｒＤＡ規格に則った赤外線通信により、データを送信する場合には、携帯電話１を操作して、赤外線通信接続を行うべく、音源再生機器２へ接続を要求すると、通信接続処理ルーチンに入る（ステップＳ２５）。
【００６３】
通信接続処理ルーチンに入ると、携帯電話装置１は、図９に示す動作を行う。まず、携帯電話装置１は、メモリ部１７から対応するコンテンツの消去日数がを読み出し、消去日数が経過したか否か判断する（ステップＳ２５１）。ステップＳ２５１において、消去日数が経過していると判断されると、転送すべきデータが無いので、その旨を液晶表示部１１に表示し転送動作を終了する。従って、消去日数に達すると、転送回数が残っている場合にも音源再生機器２への転送はできない。
【００６４】
一方、消去日数が経過していない場合には、ステップＳ２５２に進み、有効日数が経過しているか否か判断される。ステップＳ２５２において、有効日数が経過していると判断されるとステップＳ２５４に進む。
【００６５】
ステップＳ２５４においては、転送回数がゼロ回であるか否か判断する。転送回数が０回の場合には、ダウンロードしてから１度もコンテンツを利用していない。この場合に有効日数が経過したからといって直ちにコンテンツの利用ができないように制御するのはユーザに酷である。そこで、有効日数が経過していても転送回数が０回の場合には、消去日数が経過していない限り転送を許可する。そのため、ステップＳ２５６に進み、赤外線通信接続動作処理を行う。
【００６６】
ステップＳ２５４においては、転送回数がゼロ回で無い場合には、ステップＳ２５５に進む。同一メーカ、同一機種（機種ＩＤ）など一度ダウンロードしたことがある機器と全く同じ機器であれば、再度ダウンロードを可能としている。このため、ステップＳ２５５では、同一機器に対してのダウンロードか否か判断し、同一機器である場合には、ステップＳ２５６に進み、赤外線通信接続動作処理を行う。同一機器でない場合には、転送を許可しない旨を液晶表示部１１に表示し転送動作を終了する。
【００６７】
一方、ステップＳ２５２において、有効日数が経過していないと判断されると、ステップＳ２５３に進み、ステップＳ２５３で転送回数が有るか否か判断する。転送回数が有る場合にはステップＳ２５６に進み、赤外線通信接続動作処理を行う。転送回数が無い場合には、ステップＳ２５５では、同一機器に対してのダウンロードか否か判断し、同一機器である場合には、ステップＳ２５６に進み、赤外線通信接続動作処理を行う。同一機器でない場合には、転送を許可しない旨を液晶表示部１１に表示し転送動作を終了する。
【００６８】
転送回数の有無は、例えば、送信成功で許可回数を１ずつ減らしゼロになったら、転送回数が無いと判断するように構成している。送信カウントは、デクリメントして行きゼロになったら許可が無くなったと判断するように構成したり、逆に、正常送信動作を行う毎に、回数をインクリメントし、トータル回数が送信許可回数と一致した時に送信許可する回数が無くなったと判断するように構成しても良い。
【００６９】
そして、ステップＳ２５６では、音源再生機器２では、携帯電話装置１からのアクセスにより、携帯電話装置１との間で赤外線通信が行えるように動作を設定し、携帯電話装置１との間で赤外線通信コネクトを確立するための通信処理を行いこのルーチンを終了する。
【００７０】
音源再生機器２側では、通信接続処理（ステップＳ２５）により、携帯電話装置１側から通信設定処理の通知を受け取ると、赤外線通信を確立する処理を行いその旨携帯電話装置１へ知らせる（ステップＳ２６）。
【００７１】
赤外線通信コネクトが確立すると、ユーザは携帯電話装置１から音源再生機器２へコンテンツデータを送信するために、データ送信要求を音源再生装置２へ送出する（ステップＳ２７）。データ送信要求で送る情報データとしては、データ種別、デーサイズ、必要に応じて、メーカーコード、機種ＩＤである。
【００７２】
音源再生機器２では、送られてきた情報データの属性を確認する（ステップＳ２８）。音源再生機器２では、情報データの属性を確認し、メーカーコード、機種ＩＤが設定されている場合には、音源再生機器２は、メモリ部２２２に格納されているメーカーコード、機種ＩＤを読み出し、これらコード、ＩＤ等を照合し、受信の可否を判定する。すなわち、照合結果が不一致の場合には、受信不可、一致した場合には、受信可とする。更に、受信可の場合には、受信したデータ種別、データサイズを取得して、通信データを受信・記録するエリアを確保する。その後、受信可否の判定結果とシリアル番号を含む音源再生機器２の属性情報を携帯電話装置１に送る（ステップＳ２９）。
【００７３】
携帯電話装置１では、音源再生機器２から送られてきた受信可否の判定結果により、コンテンツデータの送信を行うか否か判断する（ステップＳ３０）。受信不可の場合には、送信を停止するために、赤外線通信を強制終了させ、動作を終了する。この結果、受信許可が得られていない音源再生機器２へのコンテンツデータのダウンロードが禁止できる。また、携帯電話装置１において、送信が強制終了されたことが確認でき、音源再生機器２へのコンテンツデータの転送ができなかったことをユーザが認識できる。
【００７４】
一方、受信可の場合には、コンテンツデータの全データを音源再生機器２にパケット通信で送信する。コンテンツデータは暗号化処理されて送信される。そして、サーバシステム５への送信記録アップ情報（機器のシリアル番号など）を仮登録する（ステップＳ３１）。
【００７５】
音源再生機器２は、携帯電話装置１から送られてきたコンテンツデータを受信し、暗号化されたデータを復号する（ステップＳ３２）。続いて、受信データの信頼性をＣＲＣによりチェックし、そのデータのエラーの有無を判定し、エラーがないと圧縮データの解凍を行いメモリ部２２２のデータ格納領域に格納させる（ステップＳ３０）。そして、その判定結果を携帯電話装置１へ送り、通信を切断し動作を終了する。
【００７６】
携帯電話装置１では、音源再生機器２から送られてきた通信の判定結果を判断し（ステップＳ３４）、エラーの場合には、そのまま通信を切断し動作を終了する。また、エラー無く正常にデータ通信が行われると、送信管理処理ルーチンに入る（ステップＳ３５）。
【００７７】
この実施形態においては、携帯電話装置１から音源再生装置２へ予め送信許可回数が設定されている。送信管理処理ルーチンに入ると、図１０に示すように、送信成功で許可回数を１ずつ減らし、その値をメモリ部１７に書き込む（ステップＳ３５１）。続いて、許可回数がゼロになったか否か判断する（ステップＳ３５２）。許可回数がゼロでない場合には、送信管理処理ルーチンを終了し、そして、通信を切断し動作を終了する。
【００７８】
その後、携帯電話装置１は、サーバシステム５にアクセスし、仮登録した送信記録アップ情報（機器のシリアル番号など）をサーバシステム５に伝送する。この結果、サーバシステム５が、送信記録アップ情報（機器のシリアル番号など）を把握することができる。
【００７９】
一方、許可回数がゼロになったと判断されると、ステップＳ３５３へ進み、メモリ部１７に格納されたコンテンツデータを消去して、送信管理処理ルーチンを終了し、そして、通信を切断し動作を終了する。
【００８０】
この転送許可回数のカウント処理は、上記した通信接続処理Ｓ２５のカウント処理と同じ対応にしている。すなわち、データ送信が正常に終了した場合には送信カウントをカウントしている。送信カウントは上記したように、デクリメントして行きゼロになったら許可回数に到達したと判断するように構成している。この処理とは逆に、正常送信動作を行う毎に、回数をインクリメントし、トータル回数が送信許可回数と一致した時に送信許可回数に到達したと判断するように構成しても良い。
【００８１】
上記した方法により、コンテンツ提供サーバ５０よりダウンロードした楽曲などのデータを音源再生機器２に伝送することができる。その結果、音源再生機器２は、ユーザの好みの楽曲等を再生することができるようになる。
【００８２】
ダウンロードされるデータは楽曲に限らず、プログラムなどのもダウンロードでき、音源再生機器２等のプログラムのバージョンアップなども利用できる。
【００８３】
図８ないし図１０を参照してコンテンツ提供サーバ５０より携帯電話装置１にダウンロードしたコンテンツデータを音源再生機器２側へデータ送信する場合の動作について説明した。この発明は、音源再生装置２側の本体部のホストからのデータを赤外線通信により、携帯電話装置１にダウンロードさせることができる。そして、携帯電話装置１にダウンロードされたデータは、サーバシステム５にもアップロードさせたり、赤外線通信が可能な他の機器へ携帯電話装置１から赤外線通信によりデータ転送することも可能である。
【００８４】
図１１に従い、音源再生装置２側の本体部のホストからのデータを赤外線通信により、携帯電話装置１にダウンロードさせる動作につき説明する。
【００８５】
図１１に示すように、携帯電話装置１が音源再生機器２側のデータのダウンロード動作を行うアプリケーションを動作させる（ステップＳ４１）。音源再生機器２側データ本体部のほすとからデータを取得し、メモリ部２２２にそのデータを格納させておく（ステップＳ４２）。
【００８６】
続いて、ユーザが携帯電話装置１と音源再生機器２とをＩｒＤＡ規格に則った赤外線通信により、データを受信を行うために、携帯電話１を操作して、音源再生機器２へ接続を要求する（ステップＳ４３）。そして、音源再生機器２では、携帯電話装置１からのアクセスにより、携帯電話装置１との間で赤外線通信が行えるように動作を設定し、携帯電話装置１との間で赤外線通信コネクトを確立する（ステップＳ４４）。
【００８７】
赤外線通信コネクトが確立すると、ユーザは携帯電話装置１から音源再生機器２へメモリ部２２２に格納されているデータを受信するために、データ受信要求を音源再生機器２へ送出する（ステップＳ４５）。データ受信要求で送る情報データとしては、メーカーコード、機種ＩＤが送られる。
【００８８】
音源再生機器２では、送られてきた情報データの属性を確認する（ステップＳ４７）。情報データの属性を確認し、音源再生機器２では、メモリ部２２２に格納されているメーカーコード、機種ＩＤを読み出し、これらコード、ＩＤを照合し、受信の可否を判定する。すなわち、照合結果が不一致の場合には、送信不可、一致した場合には、送信可とする。更に、送信可の場合には、送信するデータ種別、データサイズ、シリアル番号等の情報を設定する。その後、送信可否の判定結果とシリアル番号を含む音源再生機器２の属性情報を携帯電話装置１に送る（ステップＳ４７）。そして、音源再生機器２が送信すべきデータを暗号化し、パケット通信による送信を行う（ステップＳ４９）。
【００８９】
携帯電話装置１では、音源再生機器２から送られてきた送信可否の判定結果により、受信を継続するか否か判断する（ステップＳ４８）。受信を継続しない場合には、受信を停止するために、赤外線通信を強制終了させ、動作を終了する。この結果、送信許可が得られていない音源再生機器２からのデータのダウンロードが禁止できる。
【００９０】
一方、受信可の場合には、音源再生機器２からパケット通信で送られてきたデータを受信し、暗号化されたデータを復号する（ステップＳ５０）。続いて、受信データの信頼性をＣＲＣによりチェックし、そのデータのエラーの有無を判定し、エラーがないと圧縮データの解凍を行いメモリ部１７のデータ格納領域に格納させる（ステップＳ５１）。そして、その判定結果を音源再生機器２へ送り、通信を切断し動作を終了する。
【００９１】
音源再生機器２では、携帯電話装置１から送られてきた通信の判定結果を判断し（ステップＳ５２）、エラーの場合には、そのまま通信を切断し動作を終了する。また、エラー無く正常にデータ通信が行われると、メモリ部２２２に格納されているデータを消去して終了する（ステップＳ５３）。
【００９２】
この発明の実施形態においては、携帯電話装置１と音源再生機器２との間でＩｒＤＡ（Infrared Data Association）規格の赤外線通信機能を用いたが、これに限らずブルートゥース（Bluetooth）（登録商標）規格や無線ＬＡＮ等の無線通信機能を用いて、データの送受が行うように構成できる。
【００９３】
なお、前記実施形態では携帯電話装置の場合を説明したが、携帯電話装置以外に例えばパソコン，モバイル端末等の赤外線通信等などの無線通信機能が行える情報端末装置にも、この発明を適用可能であるのは勿論である。
【００９４】
今回開示された実施の形態はすべての点で例示であって制限的なものではないと考えられるべきである。本発明の範囲は、上記した実施の形態の説明ではなくて特許請求の範囲によって示され、特許請求の範囲と均等の意味および範囲内でのすべての変更が含まれることが意図される。
【産業上の利用可能性】
【００９５】
各種楽曲などの音楽コンテンツを含む種々のコンテンツを家庭用電化製品などに簡単に転送して、その動作を行うことができるので、使用者が好む音楽等を再生できる色々な装置に適用できる。
【図面の簡単な説明】
【００９６】
【図１】この発明のコンテンツ配信システムを示す概略図である。
【図２】この発明によるコンテンツ配信システムに用いる携帯電話装置の回路の実施形態を示すブロック図である。
【図３】この発明によるコンテンツ配信システムに用いるコンテンツ利用電子機器（音源再生機器）の音源システムの実施形態を示すブロック図である。
【図４】コンテンツ利用電子機器（音源再生機器）のメモリ部のデータフォーマットの例を示す図である。
【図５】この発明に用いられるサーバシステムにおけるコンテンツ提供サーバ５０の一例を示すブロック図である。
【図６】この発明に用いられるサーバシステムにおける管理サーバの一例を示すブロック図である。
【図７】携帯電話装置にコンテンツをダウンロードする方法しめすフローチャートである。
【図８】コンテンツデータを音源再生機器側へデータ送信する場合の動作を示すフローチャートである。
【図９】通信接続処理ルーチンを示すフローチャートである。
【図１０】送信管理処理ルーチンを示すフローチャートである。
【図１１】音源再生装置側の本体部のホストからのデータを赤外線通信により、携帯電話装置にダウンロードさせる動作を示すフローチャートである。
【符号の説明】
【００９７】
１  携帯電話装置
２  音源再生機器
５  サーバシステム
４０  携帯電話網
４５  携帯電話網制御部
４６  インターネット
５０  コンテンツ提供サーバ
５５  管理サーバ
【図１】
0004726613.tif 000002
【図２】
0004726613.tif 000003
【図３】
0004726613.tif 000004
【図４】
0004726613.tif 000005
【図５】
0004726613.tif 000006
【図６】
0004726613.tif 000007
【図７】
0004726613.tif 000008
【図８】
0004726613.tif 000009
【図９】
0004726613.tif 000010
【図１０】
0004726613.tif 000011
【図１１】
0004726613.tif 000012